(57)【特許請求の範囲】
【請求項１】
回転軸と、該回転軸の基端部に形成された電動ドライバーのチャックに嵌合固定できる固定部と、該回転軸の先端部に形成された掃除部材を取り付ける掃除部材取付け部と、前記回転軸の掃除部材取付け部より基端部側に、回動自在に設けられた補助ハンドルと、前記掃除部材取付け部の周面に形成された複数の突起とを具備し、前記補助ハンドルは回転軸に遊嵌する円筒部と、該円筒部に回転自在に設けられた軸とからなっていることを特徴とする回転掃除用具。
【請求項２】
前記掃除部材取付け部に被嵌して着脱自在に固定される円筒状固定部と、該円筒状固定部の周面に形成された円筒状ブラシ部とを有する掃除部材を具備していることを特徴とする請求項１記載の回転掃除用具。
【請求項３】
前記掃除部材取付け部に被嵌して着脱自在に固定される円筒状固定部と、該円筒状固定部の先端に形成された円板部と、該円板部に形成された円板状ブラシ部とを有する掃除部材を具備していることを特徴とする請求項１記載の回転掃除用具。
【発明の詳細な説明】
【技術分野】
【０００１】
本発明は、浴槽を掃除したり、洗車したりする際に使用する回転掃除用具に関し、さらに詳しくは、電動ドライバーを回転駆動源として用いた回転掃除用具に関するものである。
【背景技術】
【０００２】
従来、浴槽を掃除するには、浴槽に浴槽用洗剤をスプレー等により散布し、その浴槽用洗剤を散布した浴槽面をスポンジ、ブラシ等で擦ることにより行っている。しかしながら、スポンジ等で浴槽を擦る作業は面倒であり、また、女性、子供等の腕の力の小さいものにとっては極めて過大な労力を要するものとなっていた。
【０００３】
そこで、掃除作業の労力を軽減する掃除用具が提案されており、例えば、水道水の水圧を利用する自動洗いブラシが提案されている。この自動洗いブラシは、水道水を流す管の先端にブレードを介してブラシを設け、管の基端側から水道水を流すことにより、水道水によりブレードを回転させて一体となったブラシを回転させるものである（例えば、特許文献１参照。）。
【０００４】
【特許文献１】特開２００４−１６７８２号公報
【発明の開示】
【発明が解決しようとする課題】
【０００５】
しかしながら、上述した自動洗いブラシは、水道水の圧力を利用するものであるので、その回転力に限界があり、ブラシを掃除面に押し付けた状態では十分に回転させることができないものであった。また、水道の蛇口等が無いところでは使えないものであり、その使用範囲が限定されていた。さらに、水道水がブラシ近傍から掃除面に流出するので、掃除面に散布した洗剤が流され、多くの洗剤が無駄となっていた。
【０００６】
本発明は、以上の問題点を解決するためになされたもので、電動ドライバーを回転の駆動源とすることにより、十分な回転力を得ることができるとともに、充電式の電動ドライバーを用いれば任意の場所で使用できるようにした回転掃除用具を提供することを目的とする。
【課題を解決するための手段】
【０００７】
請求項１に係る回転掃除用具は、回転軸と、該回転軸の基端部に形成された電動ドライバーのチャックに嵌合固定できる固定部と、該回転軸の先端部に形成された掃除部材を取り付ける掃除部材取付け部と、前記回転軸の掃除部材取付け部より基端部側に、回動自在に設けられた補助ハンドルと、前記掃除部材取付け部の周面に形成された複数の突起とを具備し、前記補助ハンドルは回転軸に遊嵌する円筒部と、該円筒部に回転自在に設けられた軸とからなっていることを特徴として構成されている。
【００１０】
請求項２に係る回転掃除用具は、請求項１記載の回転掃除用具において、掃除部材取付け部に被嵌して着脱自在に固定される円筒状固定部と、該円筒状固定部の周面に形成された円筒状ブラシ部とを有する掃除部材を具備していることを特徴として構成されている。
【００１１】
請求項３に係る回転掃除用具は、請求項１記載の回転掃除用具において、掃除部材取付け部に被嵌して着脱自在に固定される円筒状固定部と、該円筒状固定部の先端に形成された円板部と、該鉛版部に形成された円板状ブラシ部とを有する掃除部材を具備していることを特徴として構成されている。
【発明の効果】
【００１２】
請求項１に係る回転掃除用具によれば、回転軸の基端部は、電動ドライバーのチャックに嵌合固定できる固定部が形成されているので、固定部を電動ドライバーのチャックに嵌合固定することにより、電動ドライバーの回転力を回転軸に伝達することができる。したがって、回転軸を大きなトルクで回転させることができる。また、回転軸の先端部には掃除部材取付け部が形成されているので、掃除部材取付け部にスポンジ、タオル地、不織布、ブラシ等の掃除部材を取付けることにより、掃除部材を回転させて掃除することができるとともに、専用の掃除部材を取付けることができる。また、回転軸に回動自在に補助ハンドルが設けられているので、掃除をする際、補助ハンドルを持つことにより、掃除部材を安定した状態に維持できるので、円滑に掃除を行うことができる。さらに、掃除部材取付け部の周面に複数の突起が形成されているので、掃除部材を取り付けた際、掃除部材がずれるのを防止することができる。
【００１５】
請求項２に係る回転掃除用具によれば、掃除部材取付け部に被嵌して着脱自在に固定される円筒状固定部と、該円筒状固定部の周面に形成された円筒状ブラシ部とを有する掃除部材を具備しているので、掃除部材を取付けた際、円筒状ブラシ部の周面が回転軸の中心線を平行状態となり、回転軸と平行に位置した掃除面を円滑に掃除することができる。
【００１６】
請求項３に係る回転掃除用具によれば、掃除部材取付け部に被嵌して着脱自在に固定される円筒状固定部と、該円筒状固定部の先端に形成された円板部と、該鉛版部に形成された円板状ブラシ部とを有する掃除部材を具備しているので、掃除部材を取り付けた際、円板状ブラシ部の面が回転軸の中心線を直角状態となり、回転軸と直角に位置した掃除面を円滑に掃除することができる。
【発明を実施するための最良の形態】
【００１７】
本発明の回転掃除用具は、回転軸の基端部に固定部が形成されており、この固定部を電動ドライバーのチャックに嵌合固定できるものである。この固定部は、従来公知のビット等の固定部と同様な形状に形成されていれば良い。
【００１８】
回転軸の先端部には、掃除部材の取付け可能な掃除部材取付け部が形成されており、この掃除部材取付け部に掃除部材を取付ける。掃除部材としては、特に限定されず、従来使用されているものを使用することができ、例えば、スポンジ、不織布、布、繊維を撚り合わせて房状にしたもの、ブラシ等を使用することができる。したがって、使用する掃除部材に対応して掃除部材取付け部を適宜形成することができ、例えば、スポンジ、不織布、布等の場合は、掃除部材取付け部に突起を設け、突起にスポンジ、不織布、布等が引っかかって固定できるようにしたものであってもよい。突起としては、棒状、三角錐状、鉤状等、掃除部材が引っかかる形状であればよい。この時、掃除部材に面ファスナー、ボタン等を設けて少なくとも一回り巻回した状態で固定できるようにすることが好ましい。
【００１９】
また、掃除部材取付け部に取付ける掃除部材として専用の掃除部材を用いることができる。例えば、掃除部材取付け部に被嵌して着脱自在に固定される円筒状固定部と、該円筒状固定部の周面に形成されたブラシ部とを有する掃除部材や、掃除部材取付け部に被嵌して着脱自在に固定される円筒状固定部と、該円筒状固定部の先端に形成された円板部と、該鉛版部に形成されたブラシ部とを有する掃除部材を用いることができる。このような専用の掃除部材を用いることにより、ブラシによる掃除を行うことができる。
【００２０】
専用の掃除部材においては、円筒状固定部を掃除部材取付け部に被嵌して固定するので、円筒状固定部を、ある程度柔軟な材質で形成するとともに、掃除部材取付け部より小さい径に形成し、円筒状固定部で掃除部材取付け部を締付けるようにすることが好ましい。また、円筒状固定部の内面に、掃除部材取付け部に形成された突起に対応する凹部を形成し、突起が凹部に嵌合するようにすれば、円筒状固定部のズレを防止できるので好ましい。
【００２１】
回転軸の掃除部材取付け部より基端部側に、回転自在に補助ハンドルを設けることができる。補助ハンドルを設けることにより、電動ドライバーと、補助ハンドルとを持って２点で支えることとなるので、掃除部材を安定した状態で掃除面に当接させることができるので、円滑に掃除をすることができる。
【００２２】
本発明による回転掃除用具の一実施形態を図面を参照して説明する。図１は、回転掃除用具の正面図、図２は回転掃除用具の先端側から見た端面図、図３は回転掃除用具に使用する掃除部材としての不織布の平面図、図４は回転掃除用具の使用状態を示す図である。
【００２３】
図１及び図２において、回転掃除用具１は、金属で形成された回転軸１０が設けられ、この回転軸の先端には掃除部材取付け部２０が一体に形成されている。この掃除部材取付け部２０は直径約１５ｃｍの円柱状に形成され、その周面には、高さ約２ｍｍの円錐状の突起２１が所定間隔で形成され、取付けた不織布等の掃除部材がずれるのを防止できるようになっている。
【００２４】
回転軸１０の基端には、電動ドライバーのチャックに嵌合固定される固定部３０が形成されており、この固定部３０は電動ドライバーに用いられているビットの固定部と同様に形成されている。また、回転軸１０の掃除部材取付け部２０より基端側近傍には、補助ハンドル４０が回転自在に設けられている。すなわち、補助ハンドル４０は、回転軸１０が遊嵌する円筒部４１が設けられ、この円筒部４１に回転自在に軸４２が設けられ、さらに、この軸４２の先端に三角形状に形成された握り部４３が設けられている。
【００２５】
回転掃除用具１に用いる掃除部材としては、図３に示すように、不織布５０を用いることができ、この不織布５０は、掃除部材取付け部２０の長さと略同一の巾を有するととともに、掃除部材取付け部２０を１回以上巻回できる長さを有し、一方の端部の表面、及び他方の端部の裏面に平面ファスナー５１が形成されている。
【００２６】
以上のような回転掃除用具１を使用するには、図１及び図２において二点鎖線で示すように、掃除部材取付け部２０に不織布５０を巻回し、両端の平面ファスナー５１同士を固着する。この時、突起２１を不織布５０に食い込ませ、不織布５０のズレを防止できるようにする。そして、図４に示すように、電動ドライバー６０のチャック６１に固定部３０を挿入固定する。この状態で電動ドライバー６０を持つとともに、補助ハンドル４０の握り部４３を持ち、電動ドライバー６０を駆動する。すると、電動ドライバー６０の回転により回転軸１０が回転するので、掃除部材取付け部２０を介して不織布５０が回転する。したがって、この回転する不織布５０を所望の掃除したい面に当接することにより、掃除を行うことができる。
【００２７】
本発明による回転掃除用具に用いる専用の掃除部材の一実施態様について図面を参照して説明する。図５は掃除部材の斜視図である。この図において、掃除部材７０は、柔軟な材質で形成されており、掃除部材取り付け部２０に略被嵌して取付ける一部が開口した断面「Ｃ」字状の筒状取付け部７１が設けられ、この筒状取付け部７１の開口端部には、略半径方向に突出した固定片７２、７２が形成されている。そして、この固定片７２にはボルト孔７３が形成されており、ボルト（図示せず）を挿通するとともにナットにより両固定片７２、７２を固定できるようになっている。また、筒状取付け部７１の表面にはブラシ部７４が形成されており、内面には掃除部材取付け部２０の突起２１の突起が嵌合するように突起２１に対応する位置に凹部７５が形成されている。
【００２８】
以上のような掃除部材７０を使用するには、突起２１が凹部７４に嵌合した状態で筒状取付け部７１を掃除部材取付け部２０に被嵌し、ボルトをボルト孔に挿通してナットを螺着させることにより固定片７２間を固定する。
【００２９】
本発明による回転掃除用具に用いる専用の掃除部材の他の実施態様に着いて図面を参照して説明する。図６は掃除部材の斜視図、である。この図において、掃除部材８０は、柔軟な材質で形成されており、掃除部材取り付け部２０に略被嵌して取付ける一部が開口した断面「Ｃ」字状の筒状取付け部８１が設けられ、この筒状取付け部８１の開口端部には、略半径方向に突出した固定片８２、８２が形成されている。そして、この固定片８２にはボルト孔８３が形成されており、ボルト（図示せず）を挿通するとともにナットにより両固定片８２、８２を固定できるようになっている。
筒状取付け部８１の先端には円板８４が形成され、この円板８３にブラシ部８５が形成されている。また、筒状取付け部８１の内面には、掃除部材取付け部２０の突起２１の突起が嵌合するように突起２１に対応する位置に凹部（図示せず）が形成されている。
【００３０】
以上のような掃除部材８０を使用するには、突起２１が凹部８５に嵌合した状態で筒状取付け部８１を掃除部材取付け部２０に被嵌し、ボルトをボルト孔に挿通してナットを螺着させることにより固定片８２間を固定する。
【図面の簡単な説明】
【００３１】
【図１】本発明による回転掃除用具の一実施形態の正面図
【図２】本発明による回転掃除用具の一実施形態の先端側から見た端面図
【図３】本発明による回転掃除用具に使用する掃除部材として不織布の平面図
【図４】本発明による回転掃除用具の使用状態を示す図
【図５】本発明による回転掃除用具に用いる専用の掃除部材の一実施携帯の斜視図
【図６】本発明による回転掃除用具に用いる専用の掃除部材の他の実施携帯の斜視図
【符号の説明】
【００３２】
１    回転掃除用具
１０  回転軸
１１  フランジ
２０  掃除部材取付け部
２１  突起
３０  固定部
４０  補助ハンドル
５０  不織布（掃除部材）
６０  電動ドライバー
６１  チャック
７０  掃除部材
８０  掃除部材
【図１】
0004633822.tif 000002
【図２】
0004633822.tif 000003
【図３】
0004633822.tif 000004
【図４】
0004633822.tif 000005
【図５】
0004633822.tif 000006
【図６】
0004633822.tif 000007